(57)【特許請求の範囲】
【請求項１】
無端回転する環状の手摺ベルトと、
前記手摺ベルトの内周側で前記手摺ベルトに沿って延び、外周部が開放されるフレームと、
前記フレームの内部に配置され、前記手摺ベルトをガイドするガイド体と、を備え、
前記ガイド体は、外周部が前記手摺ベルトに接する複数の転動体と、複数のリンクが互いに回転可能に直列に接続されて構成され、前記複数の転動体を接続する長尺な接続体と、前記接続体の第１端部に接続されるフックと、を備え、
前記フレームは、内部に、前記フックに引っ掛けられる引掛部を備え、
前記引掛部は、前記フレームが延びる方向と直交する方向に延びるバーであり、
前記フックは、前記接続体に回転可能に接続され、
前記フックは、内周縁に、円弧状に形成される円弧部を備え、
前記フックは、前記引掛部に対して前記フレームの内周部側から引っ掛けられる、マンコンベヤの欄干装置。
【請求項２】
前記フレームは、前記引掛部に対して前記フレームの内周部側に、前記フックが回転することを規制する規制部を備える、請求項１に記載のマンコンベヤの欄干装置。
【請求項３】
前記フックは、前記接続体に接続されるフック本体部と、前記フック本体部の先端から直線状に延びるフック基部と、前記フック基部から鉤状に延びるフック先端部と、を備え、
前記規制部は、前記引掛部との間に前記フック基部を挟むように、配置されると共に、前記フック基部に沿って延びる、請求項２に記載のマンコンベヤの欄干装置。
【請求項４】
前記引掛部を保持する保持部をさらに備え、
前記保持部は、凹部を有し且つ前記凹部に前記引掛部を入れることによって前記引掛部を引っ掛けて止める掛止部と、前記掛止部の凹部から前記引掛部が抜け出すことを止める抜止部と、を備える、請求項１〜３の何れか１項に記載のマンコンベヤの欄干装置。
【請求項５】
前記複数の転動体のそれぞれは、一部が前記フレームの外周部から突出するように、配置され、
前記フックの全体は、前記フレームの内部に、配置される、請求項１〜４の何れか１項に記載のマンコンベヤの欄干装置。
【請求項６】
請求項１〜５の何れか１項に記載のマンコンベヤの欄干装置を備える、マンコンベヤ。
【発明の詳細な説明】
【技術分野】
【０００１】
本出願は、マンコンベヤの欄干装置及びマンコンベヤに関する。
【背景技術】
【０００２】
従来、例えば、マンコンベヤの欄干装置は、無端回転する環状の手摺ベルトと、手摺ベルトの内周側で手摺ベルトに沿って延びるフレームと、フレームの内部に配置され、手摺ベルトをガイドするガイド体とを備えている（例えば、特許文献１）。ところで、ガイド体をフレームに取り付ける必要があり、当該取り付け作業が煩雑であった。
【先行技術文献】
【特許文献】
【０００３】
【特許文献１】特開２００６−１２４０６５号公報
【発明の概要】
【発明が解決しようとする課題】
【０００４】
そこで、課題は、ガイド体をフレームに容易に取り付けることができるマンコンベヤの欄干装置及びマンコンベヤを提供することである。
【課題を解決するための手段】
【０００５】
マンコンベヤの欄干装置は、無端回転する環状の手摺ベルトと、前記手摺ベルトの内周側で前記手摺ベルトに沿って延び、外周部が開放されるフレームと、前記フレームの内部に配置され、前記手摺ベルトをガイドするガイド体と、を備え、前記ガイド体は、外周部が前記手摺ベルトに接する複数の転動体と、前記複数の転動体を接続する長尺な接続体と、前記接続体の第１端部に接続されるフックと、を備え、前記フレームは、内部に、前記フックに引っ掛けられる引掛部を備える。
【０００６】
また、マンコンベヤの欄干装置においては、前記引掛部は、前記フレームが延びる方向と直交する方向に延びるバーであり、前記フックは、前記接続体に回転可能に接続され、前記フックの内周縁は、円弧状に形成される、という構成でもよい。
【０００７】
また、マンコンベヤの欄干装置においては、前記フックは、前記バーに対して前記フレームの内周部側から引っ掛けられる、という構成でもよい。
【０００８】
また、マンコンベヤの欄干装置においては、前記フレームは、前記引掛部に対して前記フレームの内周部側に、前記フックが回転することを規制する規制部を備える、という構成でもよい。
【０００９】
また、マンコンベヤの欄干装置においては、前記複数の転動体のそれぞれは、一部が前記フレームの外周部から突出するように、配置され、前記フックの全体は、前記フレームの内部に、配置される、という構成でもよい。
【００１０】
また、マンコンベヤは、前記のマンコンベヤの欄干装置を備える。
【図面の簡単な説明】
【００１１】
【図１】図１は、一実施形態に係るマンコンベヤの概要図である。
【図２】図２は、同実施形態に係る欄干装置の要部概要図である。
【図３】図３は、図２のIII−III線の拡大断面図である。
【図４】図４は、図３のIV−IV線の断面図である。
【図５】図５は、同実施形態に係る欄干装置の部品図であって、（ａ）はフレームの斜視図、（ｂ）はガイド体の平面図、（ｃ）はガイド体の正面図である。
【図６】図６は、同実施形態に係るマンコンベヤの手摺ベルトを取り外した状態の図であって、下方からの斜視図である。
【図７】図７は、同実施形態に係るマンコンベヤの手摺ベルトを取り外した状態の図であって、下方から見た図である。
【図８】図８は、図７のVIII−VIII線の断面図である。
【図９】図９は、同実施形態に係るフックと引掛部との関係を示す図である。
【図１０】図１０は、同実施形態に係る欄干装置の縦断面図（図８と同じ位置の図）であって、ガイド体をフレームに取り付ける方法を説明する図である。
【図１１】図１１は、同実施形態に係る欄干装置の縦断面図（図８と同じ位置の図）であって、ガイド体をフレームに取り付ける方法を説明する図である。
【図１２】図１２は、同実施形態に係る欄干装置の縦断面図（図８と同じ位置の図）であって、ガイド体をフレームに取り付ける方法を説明する図である。
【発明を実施するための形態】
【００１２】
以下、マンコンベヤ及び欄干装置における一実施形態について、図１〜図１２を参照しながら説明する。なお、各図において、図面の寸法比と実際の寸法比とは、必ずしも一致しておらず、また、各図面の間での寸法比も、必ずしも一致していない。
【００１３】
図１に示すように、本実施形態に係るマンコンベヤ１は、躯体に設置される構造体２と、人を前後方向Ｄ１へ搬送する搬送部３と、搬送部３を幅方向Ｄ２で挟むように配置される一対の欄干装置４，４（図１においては、一つのみを図示している）とを備えている。また、マンコンベヤ１は、搬送部３及び欄干装置４を駆動させる駆動部５を備えている。
【００１４】
本実施形態に係るマンコンベヤ１は、人を搬送するために、踏面が階段状になるエスカレータであるが、斯かる構成に限られない。例えば、マンコンベヤ１は、人を搬送するために、踏面が平面状となる移動歩道（動く歩道）であってもよい。
【００１５】
搬送部３は、駆動部５に駆動されることによって無端回転する環状の走行部（例えば、チェーン）３ａと、走行部３ａに対して回転可能に接続され、人が乗る踏面を有する複数のステップ３ｂとを備えている。走行部３ａは、幅方向Ｄ２に離れて一対（図１においては、一つのみを図示している）設けられている。そして、複数のステップ３ｂは、一対の走行部３ａ，３ａの間に配置され、それぞれの走行部３ａに対して回転可能に接続されている。
【００１６】
欄干装置４は、無端回転する環状の手摺ベルト６と、手摺ベルト６の内周側で手摺ベルト６に沿って延び、外周部７ｄ（図３参照）が開放されるフレーム７と、フレーム７を支持する支持部４ａ（例えば、ガラス板）とを備えている。駆動部５は、ステップ３ｂが反転するように、走行部３ａが巻き掛けられる回転部（例えば、スプロケット、鎖歯車）５ａ，５ａと、走行部３ａが無端回転してステップ３ｂが走行するように、回転部５ａを回転させる駆動源５ｂとを備えている。
【００１７】
そして、駆動部５の駆動が手摺ベルト６に伝達されることによって、手摺ベルト６は、走行部３ａの無端回転及びステップ３ｂの走行と同期して、無端回転する。なお、手摺ベルト６の回転速度は、走行部３ａの回転速度及びステップ３ｂの走行速度にそれぞれ比例している。
【００１８】
また、マンコンベヤ１は、回転部５ａ，５ａの回転方向を変更することによって、走行部３ａの回転方向、ステップ３ｂの走行方向及び手摺ベルト６の回転方向をそれぞれ変更可能である。これにより、マンコンベヤ１は、人を上方向へ搬送する状態と下方向へ搬送する状態とに切り替え可能である。
【００１９】
ところで、欄干装置４は、フレーム７の内部に配置されて手摺ベルト６をガイドするガイド体８を備えている。特に限定されないが、ガイド体８は、例えば、幅方向Ｄ２視において、手摺ベルト６及びフレーム７が凸状の曲部（図１においては、３箇所）に、配置されていてもよい。
【００２０】
以下、マンコンベヤ１の前後方向Ｄ１の端部、所謂、ニューエル部１ａにおける欄干装置４の構成について説明する。なお、欄干装置４の他の部分は、例えば、当該ニューエル部１ａの構成と同じ構成であってもよく、また、例えば、当該ニューエル部１ａの構成と異なる構成であってもよい。
【００２１】
図２に示すように、フレーム７は、円弧状に形成される曲線部７ａと、曲線部７ａの上端部に連接される上直線部７ｂと、曲線部７ａの下端部に連接される下直線部７ｃとを備えている。そして、ガイド体８は、フレーム７の上直線部７ｂから下直線部７ｃまで配置されている。なお、下直線部７ｃの一部は、欄干装置４のカバー部４ｂの内部に配置されている。
【００２２】
図３〜図５に示すように、ガイド体８は、外周部が手摺ベルト６に接する複数の転動体８ａと、複数の転動体８ａを接続する長尺な接続体８ｂとを備えている。そして、接続体８ｂは、フレーム７の形状に対応して変形可能に構成されている。特に限定されないが、接続体８ｂは、例えば、本実施形態のように、複数のリンクが互いに回転可能に接続されるローラチェーンとしてもよく、また、例えば、リングが互いに接続されるチェーンとしてもよく、また、例えば、ワイヤとしてもよい。
【００２３】
フレーム７は、ガイド体８を幅方向Ｄ２で挟むように配置される側部７ｅ，７ｅと、側部７ｅの上端部から幅方向Ｄ２の外側へ突出し、手摺ベルト６をガイドするベルトガイド部７ｆ，７ｆとを備えている。また、フレーム７は、側部７ｅ，７ｅ間に配置される内周部７ｇを備えており、フレーム７の内周部７ｇは、幅方向Ｄ２の中央部にフレーム７の内部へ突出する凸部７ｈと、幅方向Ｄ２の両端部に凹部７ｉ，７ｉとを備えている。
【００２４】
ガイド体８の転動体８ａの一部は、フレーム７の凹部７ｉの内部に配置されると共に、転動体８ａの一部は、フレーム７の外周部７ｄから突出している。これにより、転動体８ａの外周部が手摺ベルト６の内周面を確実にガイドすることができる。また、ガイド体８の接続体８ｂは、フレーム７の凸部７ｈにガイドされており、接続体８ｂの全体は、フレーム７の内部に配置されている。
【００２５】
また、ガイド体８は、接続体８ｂの第１端部に接続されるフック８ｃ，８ｃを備えている。フック８ｃは、接続体８ｂに回転可能に接続されている。そして、図６〜図８に示すように、フレーム７は、フック８ｃを固定する固定部９を備えている。
【００２６】
特に限定されないが、例えば、ガイド体８の第２端部は、弾性体（例えば、弦巻バネ）を介在して、フレーム７に固定されていてもよい。これにより、ガイド体８に張力が作用することになる。なお、ガイド体８の第２端部は、第１端部と同様に、フックを備え、フレーム７は、当該フックを固定する固定部を備えている、という構成でもよい。
【００２７】
固定部９は、フック８ｃに引っ掛けられる引掛部９ａと、引掛部９ａを保持する保持部９ｂとを備えている。そして、引掛部９ａは、フレーム７が延びる方向と直交する方向、即ち、幅方向Ｄ２に延びるバーである。なお、特に限定されないが、バーの断面形状は、本実施形態のように、例えば、多角形状（正六角形状）としてもよく、また、例えば、円形状（真円形状、楕円形状）としてもよい。
【００２８】
保持部９ｂは、特に限定されないが、本実施形態においては、凹部に引掛部９ａを入れることによって引掛部９ａを引っ掛けて止める掛止部９ｃと、掛止部９ｃの凹部から引掛部９ａが抜け出すことを止める抜止部９ｄとを備えている。なお、特に限定されないが、本実施形態においては、掛止部９ｃ及び抜止部９ｄは、ネジ機構によって、フレーム７の内周部７ｇの凸部７ｈに固定されている。
【００２９】
そして、固定部９の全体は、フレーム７の内部に配置されていると共に、フック８ｃの全体は、フレーム７の内部に、配置されている。しかも、フック８ｃは、引掛部９ａに対してフレーム７の内周部７ｇ側から引っ掛けられている。具体的には、フック８ｃのフック基部８ｄは、引掛部９ａよりも、フレーム７の内周部７ｇ側に配置されている。
【００３０】
これにより、手摺ベルト６がフック８ｃに接することを抑制することができるため、フック８ｃが引掛部９ａから外れることを抑制することができる。なお、フック８ｃは、接続体８ｂに接続されるフック本体部８ｅを備えており、フック基部８ｄは、フック本体部８ｅの先端から直線状に延びている。そして、フック８ｃは、フック基部８ｄから鉤状に延びているフック先端部８ｆを備えている。
【００３１】
ところで、フレーム７は、引掛部９ａに対してフレーム７の内周部７ｇ側に、フック８ｃが回転することを規制する規制部９ｅを備えている。具体的には、規制部９ｅと引掛部９ａとがフック８ｃのフック基部８ｄを挟んでいるため、フック８ｃは、引掛部９ａに対して回転することを規制されている。そして、規制部９ｅは、フック８ｃのフック基部８ｄに沿って延びており、フック８ｃが規制部９ｅに当たることによって、フック８ｃが回転することを規制される。
【００３２】
これにより、フック８ｃが引掛部９ａから外れる方向に回転することを抑制することができるため、フック８ｃが引掛部９ａから外れることを抑制することができる。なお、特に限定されないが、フック８ｃが引掛部９ａに引っ掛かっている状態において、規制部９ｅとフック８ｃとの最小距離は、４ｍｍ以下であることが好ましく、１ｍｍ以下であることが非常に好ましい。
【００３３】
図９に示すように、フック８ｃの内周縁８ｇは、円弧状に形成される円弧部８ｈを備えている。図９において、点Ｐ１は、円弧部８ｈのうち、フック８ｃのフック基部８ｄ側の端点であり、点Ｐ２は、円弧部８ｈのうち、フック８ｃのフック先端部８ｆ側の端点である。また、図９において、二点鎖線の円Ｃ１は、引掛部９ａの外接円である。
【００３４】
そして、特に限定されないが、円弧部８ｈの半径は、例えば、引掛部９ａの外接円Ｃ１の半径の１００％〜１５０％であることが好ましく、また、例えば、引掛部９ａの外接円Ｃ１の半径の１０５％〜１２０％であることがさらに好ましい。これにより、例えば、フック８ｃを滑らかに回転させながら引掛部９ａに引っ掛けることができる。
【００３５】
また、特に限定されないが、フック８ｃが引掛部９ａに引っ掛かっている状態において、円弧部８ｈは、例えば、引掛部９ａの外接円Ｃ１の１２０°〜２００°の範囲に配置されることが好ましく、また、例えば、１５０°〜１８０°の範囲に配置されることがさらに好ましい。これにより、例えば、フック８ｃが引掛部９ａから外れることをさらに抑制することができる。
【００３６】
なお、円弧部８ｈが配置される引掛部９ａの外接円Ｃ１の範囲θ１とは、円弧部８ｈの端点Ｐ１，Ｐ２同士を結んだ直線（図９における破線）と引掛部９ａの外接円Ｃ１との交点Ｐ３，Ｐ４間の範囲（点Ｐ３及び点Ｐ５を結ぶ直線と点Ｐ４及び点Ｐ５を結ぶ直線との交差角度）θ１のことである。図９における点Ｐ５は、引掛部９ａの外接円Ｃ１の中心である。
【００３７】
本実施形態に係るマンコンベヤ１の構成については以上の通りであり、次に、本実施形態に係るガイド体８をフレーム７に取り付ける方法を図１０〜図１２を参照しながら説明する。
【００３８】
本実施形態においては、固定部９は、フレーム７の下直線部７ｃ（図２参照）の内部に配置されている。なお、下直線部７ｃと床面との間の距離が、狭いため（例えば、１００ｍｍ〜２００ｍｍ）、下直線部７ｃでの作業は、非常に困難となっている。
【００３９】
まず、図１０に示すように、引掛部９ａに対してフレーム７の外周部７ｄ側に、ガイド体８を配置した状態で、フック８ｃが引掛部９ａに引っ掛けられる。そして、例えば、ガイド体８への加力を解除し、ガイド体８の自重によって、フック８ｃを引掛部９ａに引っ掛けた状態で回転させる。このとき、フック８ｃの内周縁８ｇが円弧状に形成されているため、フック８ｃを引掛部９ａに対して滑らかに回転させることができる。
【００４０】
そして、図１１に示すように、フック８ｃが上下方向Ｄ３に沿う起立した状態で、フック８ｃが引掛部９ａに引っ掛けられる。このとき、フック８ｃが所定の形状をしているため、フック８ｃに外力が加えられてフック８ｃが回転しない限り、フック８ｃが引掛部９ａから外れない。そして、ガイド体８を引っ張ることによって、フック８ｃが引掛部９ａに引っ掛かった状態で回転し、図１２に示すように、ガイド体８は、フレーム７の内部に入る。
【００４１】
そして、ガイド体８の第２端部がフレーム７に固定されることによって、ガイド体８はフレーム７に取り付けられる。このように、ガイド体８のフック８ｃがフレーム７の引掛部９ａに引っ掛けられることによって、ガイド体８がフレーム７に取り付けられる。したがって、例えば、作業性の悪いフレーム７の下直線部７ｃで作業する場合でも、ガイド体８をフレーム７に容易に取り付けることができる。
【００４２】
なお、ガイド体８をフレーム７に取り付ける方法は、斯かる方法に限定されない。例えば、引掛部９ａは、フレーム７の下直線部７ｃではなく、フレーム７の上直線部７ｂに配置されてもよい。また、例えば、引掛部９ａは、例えば、フレーム７の下直線部７ｃ及び上直線部７ｂの両方に配置されてもよい。
【００４３】
以上より、本実施形態に係るマンコンベヤ１は、前記のマンコンベヤ１の欄干装置４を備える。
【００４４】
そして、本実施形態に係るマンコンベヤ１の欄干装置４は、無端回転する環状の手摺ベルト６と、前記手摺ベルト６の内周側で前記手摺ベルト６に沿って延び、外周部７ｄが開放されるフレーム７と、前記フレーム７の内部に配置され、前記手摺ベルト６をガイドするガイド体８と、を備え、前記ガイド体８は、外周部が前記手摺ベルト６に接する複数の転動体８ａと、前記複数の転動体８ａを接続する長尺な接続体８ｂと、前記接続体８ｂの第１端部に接続されるフック８ｃと、を備え、前記フレーム７は、内部に、前記フック８ｃに引っ掛けられる引掛部９ａを備える。
【００４５】
斯かる構成によれば、接続体８ｂの第１端部に接続されるフック８ｃが、フレーム７の内部の引掛部９ａに引っ掛けられることによって、ガイド体８がフレーム７に取り付けられる。これにより、ガイド体８をフレーム７に容易に取り付けることができる。
【００４６】
また、本実施形態に係るマンコンベヤ１の欄干装置４においては、前記引掛部９ａは、前記フレーム７が延びる方向と直交する方向Ｄ２に延びるバーであり、前記フック８ｃは、前記接続体８ｂに回転可能に接続され、前記フック８ｃの内周縁８ｇは、円弧状に形成される、という構成である。
【００４７】
斯かる構成によれば、フック８ｃが接続体８ｂに回転可能に接続されているため、フック８ｃを回転させながら引掛部９ａに引っ掛けることができる。そして、フック８ｃの内周縁８ｇが円弧状に形成されているため、フック８ｃを引掛部９ａに対して滑らかに回転させることができる。
【００４８】
また、本実施形態に係るマンコンベヤ１の欄干装置４においては、前記フック８ｃは、前記引掛部９ａに対して前記フレーム７の内周部７ｇ側から引っ掛けられる、という構成である。
【００４９】
斯かる構成によれば、フック８ｃが引掛部９ａに対してフレーム７の内周部７ｇ側から引っ掛けられるため、手摺ベルト６がフック８ｃに接することを抑制することができる。これにより、フック８ｃが引掛部９ａから外れることを抑制することができる。
【００５０】
また、本実施形態に係るマンコンベヤ１の欄干装置４においては、前記フレーム７は、前記引掛部９ａに対して前記フレーム７の内周部７ｇ側に、前記フック８ｃが回転することを規制する規制部９ｅを備える、という構成である。
【００５１】
斯かる構成によれば、規制部９ｅが引掛部９ａに対してフレーム７の内周部７ｇ側に配置されているため、フック８ｃが回転することを規制することができる。これにより、フック８ｃが引掛部９ａから外れることをさらに抑制することができる。
【００５２】
また、本実施形態に係るマンコンベヤ１の欄干装置４においては、前記複数の転動体８ａのそれぞれは、一部が前記フレーム７の外周部７ｄから突出するように、配置され、前記フック８ｃの全体は、前記フレーム７の内部に、配置される、という構成である。
【００５３】
斯かる構成によれば、複数の転動体８ａのそれぞれの一部が、フレーム７の外周部７ｄから突出しているため、手摺ベルト６が転動体８ａに確実にガイドされる。そして、フック８ｃの全体がフレーム７の内部に配置されているため、手摺ベルト６がフック８ｃに接することを抑制することができる。
【００５４】
なお、マンコンベヤ１及び欄干装置４は、上記した実施形態の構成に限定されるものではなく、また、上記した作用効果に限定されるものではない。また、マンコンベヤ１及び欄干装置４は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００５５】
（１）上記実施形態に係る欄干装置４においては、引掛部９ａは、フレーム７が延びる方向と直交する方向Ｄ２に延びるバーである、という構成である。しかしながら、欄干装置４は、斯かる構成が好ましいものの、斯かる構成に限られない。例えば、引掛部９ａは、フック８ｃに引っ掛けられるリングである、という構成でもよい。
【００５６】
（２）また、上記実施形態に係る欄干装置４においては、フック８ｃは、接続体８ｂに回転可能に接続されている、という構成である。しかしながら、欄干装置４は、斯かる構成が好ましいものの、斯かる構成に限られない。例えば、フック８ｃは、接続体８ｂに回転不能に固定されている、という構成でもよい。
【００５７】
（３）また、上記実施形態に係る欄干装置４においては、フック８ｃの内周縁８ｇは、円弧状に形成されている、という構成である。しかしながら、欄干装置４は、斯かる構成が好ましいものの、斯かる構成に限られない。例えば、フック８ｃの内周縁８ｇは、複数の連続した直線状に形成されている、という構成でもよい。
【００５８】
（４）また、上記実施形態に係る欄干装置４においては、フック８ｃは、引掛部９ａに対してフレーム７の内周部７ｇ側から引っ掛けられる、という構成である。しかしながら、欄干装置４は、斯かる構成が好ましいものの、斯かる構成に限られない。例えば、フック８ｃは、引掛部９ａに対してフレーム７の外周部７ｄ側から引っ掛けられる、という構成でもよい。
【００５９】
（５）また、上記実施形態に係る欄干装置４においては、フレーム７は、引掛部９ａに対してフレーム７の内周部７ｇ側に、フック８ｃが回転することを規制する規制部９ｅを備える、という構成である。しかしながら、欄干装置４は、斯かる構成が好ましいものの、斯かる構成に限られない。例えば、フレーム７は、引掛部９ａに対してフレーム７の外周部７ｄ側に、フック８ｃが回転することを規制する規制部９ｅを備える、という構成でもよい。また、例えば、フレーム７は、規制部９ｅを備えていない、という構成でもよい。
【００６０】
（６）また、上記実施形態に係る欄干装置４においては、フック８ｃの全体は、フレーム７の内部に、配置されている、という構成である。しかしながら、欄干装置４は、斯かる構成が好ましいものの、斯かる構成に限られない。例えば、フック８ｃは、一部がフレーム７の外周部７ｄから突出するように、配置されている、という構成でもよい。
【符号の説明】
【００６１】
１…マンコンベヤ、１ａ…ニューエル部、２…構造体、３…搬送部、３ａ…走行部、３ｂ…ステップ、４…欄干装置、４ａ…支持部、４ｂ…カバー部、５…駆動部、５ａ…回転部、５ｂ…駆動源、６…手摺ベルト、７…フレーム、７ａ…曲線部、７ｂ…上直線部、７ｃ…下直線部、７ｄ…外周部、７ｅ…側部、７ｆ…ベルトガイド部、７ｇ…内周部、７ｈ…凸部、７ｉ…凹部、８…ガイド体、８ａ…転動体、８ｂ…接続体、８ｃ…フック、８ｄ…フック基部、８ｅ…フック本体部、８ｆ…フック先端部、８ｇ…内周縁、８ｈ…円弧部、９…固定部、９ａ…引掛部、９ｂ…保持部、９ｃ…掛止部、９ｄ…抜止部、９ｅ…規制部、Ｄ１…前後方向、Ｄ２…幅方向、Ｄ３…上下方向
【要約】
【課題】  ガイド体をフレームに容易に取り付けることができるマンコンベヤの欄干装置を提供する。
【解決手段】  マンコンベヤの欄干装置は、無端回転する環状の手摺ベルトと、手摺ベルトの内周側で手摺ベルトに沿って延び、外周部が開放されるフレームと、フレームの内部に配置され、手摺ベルトをガイドするガイド体と、を備え、ガイド体は、外周部が手摺ベルトに接する複数の転動体と、複数の転動体を接続する長尺な接続体と、接続体の第１端部に接続されるフックと、を備え、フレームは、内部に、フックに引っ掛けられる引掛部を備える。
【選択図】  図６【図１】
0006895096.tif 000002
【図２】
0006895096.tif 000003
【図３】
0006895096.tif 000004
【図４】
0006895096.tif 000005
【図５】
0006895096.tif 000006
【図６】
0006895096.tif 000007
【図７】
0006895096.tif 000008
【図８】
0006895096.tif 000009
【図９】
0006895096.tif 000010
【図１０】
0006895096.tif 000011
【図１１】
0006895096.tif 000012
【図１２】
0006895096.tif 000013